(57)【要約】      （修正有）【課題】一般的な被服の仕立て直しは、曲線で裁断されているため、再度仕立て直し新たな衣裳とするのは難しい。又、着物地を解き、裁断生地そのものを仕立てる方法は、衣裳のデザインが制限されるとともに、元の着物地の模様を生かした衣裳とさせる。【解決手段】矩形の布で構成する衣裳の仕立て方法は、複数の矩形布から縫い合わせ、折り込み、折りたたみ又は相互に絡めて衣裳に仕立てあげる方法のため、一枚布２に再生することにより、新たに和装（着物・帯）に代表される民族衣裳や、別の形状の衣裳への仕立て直しを可能とする。【選択図】図１
2013142214.tif 000002
【特許請求の範囲】
【請求項１】
衣裳の仕立て直しの結果得られる複数の矩形（正方形又は長方形）の一枚布、または前記一枚布の複数の布端部を折りたたみ縫い合わせて、幅広くしたとか、長くした一枚布または折り畳んだ一枚布から衣裳の上見頃と下見頃を構成し、上見頃と下見頃を体に巻きつけ、上見頃の端部を折り込み、下見頃に挟み込み、下見頃の隙間から引き出した上見頃の端部を相互に結び合わせて衣裳を矩形の布で構成する衣裳の仕立て方法。
【請求項２】
請求項１の複数の一枚布をつなぎ合わせる技法は本縫いにより、所要の長さ又は幅として衣裳を構成する衣裳の仕立て方法。
【請求項３】
請求項１の解かれた一枚布のうち意識的に切り出した一枚布は、あらかじめ定めた仕立て直し部位の一枚布として衣装を構成する衣裳の仕立て方法。
【発明の詳細な説明】
【技術分野】
【０００１】  本発明は、複数の正方形又は長方形のいわゆる矩形の布から縫い合わせ、巻きつけたり、折り込み、折りたたみ又は／及び相互に絡めて衣裳に仕立てあげる方法に関する。
【背景技術】
【０００２】  着古した着物を廃棄せずに別の被服へ、仕立て直して継続使用することが行われている。たとえば、特許文献１に開示されているように、和服を一旦生地に解き、得られた着物地の模様を利かすように衣裳に合わせて裁断し、仕立て直す方法がとられる。【０００３】  また、特許文献２のように解いた着物地を衣裳に適する方法で縫い合わせ衣裳とし、余り布をストールとして利用している。
【先行技術文献】
【特許文献】
【０００４】
【特許文献１】実用新案公報  昭５４−８８９７号
【特許文献２】公開実用新案公報  昭６１−１９１４１２号
【発明の概要】
【発明が解決しようとする課題】
【０００５】  特許文献１のように着物地の模様を目的に裁断して衣裳とする場合は、曲線で裁断されているため、再度仕立て直し新たな衣裳とするのは難しい。【０００６】  また、特許文献２のように着物地を解き、裁断生地そのものを仕立てる方法は、衣裳のデザインが制限されるとともに、元の着物地の模様を生かした衣裳とするにはさらに制限が多い。【０００７】  着物に代表されるアジア圏の民族衣装のような衣裳を解き、これらの衣裳を解いた布や、さらに前記の解いた布を裁断した矩形をなす複数枚の布によって形成されている衣裳に仕立てる方法については考え出されていなかった。
【課題を解決するための手段】
【０００８】  着物や民族衣装を解いた複数の矩形の一枚布を用い形成されている新たに衣裳に仕立て方法を提起する。複数の矩形の一枚布は目標とする衣裳を構成する一枚布を、仕立てる    衣裳に生かす模様の部位や、一枚布を縫い合わせ、折りたたみ、巻きつけを想定して図１のように生地取りを定め複数の一枚布を切りだす。【０００９】  衣裳は複数の矩形をなす一枚布を用い、切断された端部を縫い合わせて繋ぎ合わせ、折りたたみ、巻きつけて衣裳を構成することを特徴とする仕立て方法をとる。【００１０】  複数の一枚布をつなぎ合わせる技法は本縫いにより縫い合わせ、所要の長さ又は幅として、縫い合わせ、巻きつけたり、折り込み、折りたたみ又は相互に絡めて衣裳に仕立てあげることにより衣裳を構成する方法をとる。
【発明の効果】
【００１１】  本発明の仕立て方法は、一枚布に再生することにより、新たに和装（着物・帯）に代表される衣装、民族衣裳、別の形状の衣裳やウエディングドレスへの仕立て直しを可能とする。【００１２】  本発明は、一枚布の切り出し方や一枚布の適用部位をあらかじめ決めるため、元の衣裳の模様を生かした別の衣裳として再生することができる。【００１３】  本発明は、矩形の複数の一枚布を利用するため、さらに新しい衣裳に生かすことができ、部分的には他の一枚布と差し替えることが可能であるので、時節に応じて趣を変えた衣裳を提供することができる。
【図面の簡単な説明】
【００１４】
【図１】複数の一枚布への裁断を示す裁断図
【図２】複数の一枚布を縫い合わせ上見頃とする構造を示す図
【図３】巻きスカート状の下見頃の構造を示す図
【図４】上見頃と下見頃が連結する箇所の図
【図５】上見頃の着用構造を示す図
【図６】上見頃、及び下見頃の着用構造を示す図
【図７】衣裳を着用した図
【発明を実施するための形態】
【００１５】  衣裳にファスナーや、ボタン、スナップ等を使用せず、＊本縫いにより一枚布を縫い合わせ、図２にて上見頃の部分を形成し、体に巻きつけておき、図３にて下見頃を形成し、下見頃の縫い合わせの過程で作って置いた隙間１３に上見頃を通して、体の背後で上見頃の両端を結ぶ事によって、体の線に沿う、ドレープのよう立体的な衣裳を実現する。
＊本縫いとは、基本的な縫い目の総称。
【実施例】
【００１６】    本発明の実施例を図１〜図７に基づいて説明する。まず、依頼者の希望にのっとった衣装のデザインを定める。衣装デザインの結果、衣装を構成する所要の一枚布の大きさ（長さおよび幅）の一覧リストを作成し、つきに仕立て直す元の衣装から新しい衣装にポイントとする部位を定め、元の衣装を解き、解いた生地に対して上記一覧リストにより生地の切り出しを図１のように行う。【００１７】    図２においては、上見頃として着用する衣裳の仕立て方法について説明する。まず、矩形一枚布の４，５を線７で、端部を内側に折りたたみ、本縫いする。また、別に準備する別布８と同じように端部を内側に折りたたみ、線９を本縫いし、さらに線１０を本縫いする。【００１８】    図３においては、下見頃として着用する衣裳の仕立て方法について説明する。まず、別の一枚布１１を複数枚（図３では６枚）本縫い縫いにより、縫い合わせ幅広の布とする。各々の一枚布１１の端部を内側に折りたたみ、矩形一枚布２の裏側と上記の複数の一枚布１１の折りたたみ部を本縫いにより、線１２の三辺を縫い合わせる。【００１９】    さらに矩形の一枚布３を長手方向に沿い二等分に折る。二等分に折られた一枚布３切れ端片側を内側に折り返し、線１２で縫い合わせられた矩形一枚布２、および複数の一枚布１１の縫い合わせ処理がされていない一辺を、一緒に縫い合わせる。そして、一枚布３切れ端のもう片側を内側に折り返し、縫い閉じる。【００２０】    図３の端部を拡大した図４において、部分的に隙間を設ける名称「スリット空き」の隙間１３を形成するよう、下見頃を仕立てることにより、衣裳の上見頃と下見頃の連結を可能としておく。【００２１】    一枚布３、１１、２、６をそれぞれ、縫い合わせするが、隙間１３の箇所は一枚布１１、２、６を縫い合わせするものの一枚布３は、一緒に縫い合わせをせず、隙間１３を形成できるようにしておく。一枚布６は、隙間１３を表から目立たないようにデザイン上、眼隠しとして、設けた布である。【００２２】    上見頃は、図５に示すように、図２の縫い合わせた一枚布を身体に巻きつけるために利用する。図５の点線１４の位置から先端１５までの間は長さ方向に沿って二つ折にし、図３に示す隙間１３に通し、上見頃の要部を構成する。【００２３】    上見頃の飾りつけは、図６に示すように、図５で体に巻きつけ隙間１３を通し、下見頃と連結する。左右２か所の隙間１３を通した上見頃の端は相互に結び合わせ大きく下に垂れさがる装飾として、図７に示すように衣装を形成する。
【産業上の利用可能性】
【００２４】    和装、洋装に代わる礼装用の衣裳の一つとして、複雑な着付けなしに、着手自身で簡単に着用する事が可能とし、思いで深い衣装などから容易に仕立て直した衣装を提供することができる。
【符号の説明】
【００２５】１  元の衣装を解き一枚布を裁断する前の布
２、３、４、５、６  矩形の一枚布
７、９、１０、１２  本縫いを行う部位を示す線
８  布１とは別の一枚布
１３  縫い目を作っておく隙間
１４  長さ方向に沿って二つ折りにする起点
１５  隙間１４に挿し込む先端
【図１】
2013142214.tif 000003
【図２】
2013142214.tif 000004
【図３】
2013142214.tif 000005
【図４】
2013142214.tif 000006
【図５】
2013142214.tif 000007
【図６】
2013142214.tif 000008
【図７】
2013142214.tif 000009